(57)【要約】      （修正有）【課題】伸縮性が良く、携帯性が良く、分解し易い伸縮水筒を提供する。【解決手段】チューブ形状を呈し、半径方向へ圧縮不能であり、手で握ることができる剛性握りチューブ１０と、無毒な弾性材料で作製され、前記剛性握りチューブの軸方向の底端に結合され、前記軸方向に沿って一体に連接する、少なくとも一つの奇数スリーブ２１と、少なくとも一つの偶数スリーブ２２とを含む弾性スリーブ２０と、前記弾性スリーブの底端から延び、前記弾性スリーブを支持して密封する台座３０と、前記剛性握りチューブの軸方向の上端に脱着可能に枢着され、その上には、前記弾性スリーブと連通する排水口４２が設けられ、前記排水口には、排水口の開閉を制御する押圧スイッチ組４３が枢着されるヘッド４０とを含む。【選択図】図３
0003167925.tif 000002
【実用新案登録請求の範囲】
【請求項１】
チューブ形状を呈し、半径方向へ圧縮不能であり、手で握ることができる剛性握りチューブと、
無毒な弾性材料で作製され、前記剛性握りチューブの軸方向の底端に結合され、前記軸方向に沿って一体に連接する、少なくとも一つの奇数スリーブと、少なくとも一つの偶数スリーブと、を含み、前記剛性握りチューブの外周面に近接する箇所で凹んだ第１切り溝が設けられ、前記第１切り溝の反対面に第１折り目部が設けられ、これにより、前記剛性握りチューブに前記奇数スリーブと前記偶数スリーブとを引込むことができ、前記奇数スリーブの最小内径が前記偶数スリーブの最大外径よりも大きく、前記奇数スリーブと前記偶数スリーブとの連接箇所の外周面に凹んだ第２切り溝が設けられ、前記第２切り溝の反対面に第２折り目部が設けられ、これにより、前記奇数スリーブと前記偶数スリーブとを互いに引込むことができ、前記奇数スリーブの予定箇所の内周面に凹んだ第３切り溝が設けられ、前記第３切り溝の反対面に第３折り目部が設けられ、これにより、前記奇数スリーブ自体を引込むことができ、前記偶数スリーブの予定箇所の内周面に凹んだ第４切り溝が設けられ、前記第４切り溝の反対面に第４折り目部が設けられ、これにより、前記偶数スリーブ自体を引込むことができる弾性スリーブと、
前記弾性スリーブの底端から延び、前記弾性スリーブを支持して密封する台座と、
前記剛性握りチューブの軸方向の上端に脱着可能に枢着され、その上には、前記弾性スリーブと連通する排水口が設けられ、前記排水口には、排水口の開閉を制御する押圧スイッチ組が枢着されるヘッドと、
を含むことを特徴とする伸縮水筒。
【請求項２】
前記弾性スリーブの前記奇数スリーブの軸方向への長さは、前記偶数スリーブの軸方向への長さと同じであることを特徴とする、請求項１に記載の伸縮水筒。
【請求項３】
前記台座の底部は内側へ凹み、前記台座の底部には、軸方向に沿って突出する摘みラグが設けられることを特徴とする、請求項１に記載の伸縮水筒。
【考案の詳細な説明】
【技術分野】
【０００１】
本考案は、水を収容する容器に関し、特に、伸縮水筒に関するものである。
【背景技術】
【０００２】
従来の伸縮水筒は、例えば特許文献１の台湾特許１２８６３６号、特許文献２の台湾特許３２７８８４号、特許文献３の台湾特許Ｍ２４２４７４号及び特許文献４の台湾特許Ｍ３８５５３６号などに開示されている。これらは、樹脂射出成形されたものであり、容器の本体の周面にく字形断面を呈する屈折面があり、伸縮水筒を圧縮する場合には、前記各屈折面により伸縮水筒を引っ込むことができる。しかし、前記屈折面は、洗浄が容易ではないため、細菌が繁殖し易い問題があった。
【先行技術文献】
【特許文献】
【０００３】
【特許文献１】台湾特許１２８６３６号公報
【特許文献２】台湾特許３２７８８４号公報
【特許文献３】台湾特許Ｍ２４２４７４号公報
【特許文献４】台湾特許Ｍ３８５５３６号公報
【考案の概要】
【考案が解決しようとする課題】
【０００４】
本考案の主な目的は、伸縮性が良く、携帯性が良く、分解し易い伸縮水筒を提供することにある。
【課題を解決するための手段】
【０００５】
本考案の伸縮水筒によると、チューブ形状を呈し、半径方向へ圧縮不能であり、手で握ることができる剛性握りチューブと、
無毒な弾性材料で作製され、前記剛性握りチューブの軸方向の底端に結合され、前記軸方向に沿って一体に連接する、少なくとも一つの奇数スリーブと、少なくとも一つの偶数スリーブと、を含み、前記剛性握りチューブの外周面に近接する箇所で凹んだ第１切り溝が設けられ、前記第１切り溝の反対面に第１折り目部が設けられ、これにより、前記剛性握りチューブに前記奇数スリーブと前記偶数スリーブとを引込むことができ、前記奇数スリーブの最小内径が前記偶数スリーブの最大外径よりも大きく、前記奇数スリーブと前記偶数スリーブとの連接箇所の外周面に凹んだ第２切り溝が設けられ、前記第２切り溝の反対面に第２折り目部が設けられ、これにより、前記奇数スリーブと前記偶数スリーブとを互いに引込むことができ、前記奇数スリーブの予定箇所の内周面に凹んだ第３切り溝が設けられ、前記第３切り溝の反対面に第３折り目部が設けられ、これにより、前記奇数スリーブ自体を引込むことができ、前記偶数スリーブの予定箇所の内周面に凹んだ第４切り溝が設けられ、前記第４切り溝の反対面に第４折り目部が設けられ、これにより、前記偶数スリーブ自体を引込むことができる弾性スリーブと、
前記弾性スリーブの底端から延び、前記弾性スリーブを支持して密封する台座と、
前記剛性握りチューブの軸方向の上端に脱着可能に枢着され、その上には、前記弾性スリーブと連通する排水口が設けられ、前記排水口には、排水口の開閉を制御する押圧スイッチ組が枢着されるヘッドと、
を含むことを特徴とする。
【０００６】
本考案の伸縮水筒によると、前記弾性スリーブの前記奇数スリーブの軸方向への長さは、前記偶数スリーブの軸方向への長さと同じであることを特徴とする。
【０００７】
本考案の伸縮水筒によると、前記台座の底部は内側へ凹み、前記台座の底部には、軸方向に沿って突出する摘みラグが設けられることを特徴とする。
【考案の効果】
【０００８】
本考案の伸縮水筒によれば、伸縮性が良く、携帯性が良く、分解し易いという効果を有する。
【図面の簡単な説明】
【０００９】
【図１】本考案の一実施例の分解斜視図である。
【図２】本考案の一実施例の組合済み状態の斜視図である。
【図３】本考案の一実施例の組合済み状態の断面図である。
【図４】本考案の偶数スリーブが軸方向に沿って引込まれることを示す模式図である。
【図５】奇数スリーブと偶数スリーブとが軸方向に沿って互いに引込まれることを示す模式図である。
【図６】本考案の奇数スリーブが軸方向に沿って引込まれることを示す模式図である。
【図７】奇数スリーブと剛性握りチューブとが軸方向に沿って互いに引込まれることを示す模式図である。
【図８】本考案の一実施例の引込まれた状態の斜視図である。
【図９】本考案の一実施例の引込まれた状態の断面図である。
【考案を実施するための形態】
【００１０】
以下、本考案の実施の形態を図面に基づいて説明する。
まず、図１乃至図９を参照する。本考案の一実施例の伸縮水筒は、剛性握りチューブ１０と、弾性スリーブ２０と、台座３０と、ヘッド４０と、を含む。
【００１１】
剛性握りチューブ１０は、チューブ形状を呈し、半径方向へ圧縮不能であり、手で握ることができ、その軸方向の上端１１の外周面に外ねじ１１１が設けられ、その軸方向の底端１２に固定用環状縁１２１が設けられる。
【００１２】
弾性スリーブ２０は、図１及び図３に示すように、無毒な弾性材料（例えばシリコーン）で作製され、剛性握りチューブ１０の軸方向の底端に結合され、前記軸方向に沿って一体に連接する、少なくとも一つの奇数スリーブ２１と、少なくとも一つの偶数スリーブ２２と、を含み、剛性握りチューブ１０の外周面に近接する箇所で凹んだ開角が９０〜１３５度程度の第１切り溝２３が設けられ、第１切り溝２３の反対面に第１折り目部２３１が設けられ、これにより、図７に示すように、剛性握りチューブ１０に奇数スリーブ２１と偶数スリーブ２２とを引込むことができる。奇数スリーブ２１の軸方向への長さＳは、偶数スリーブ２２の軸方向への長さＲと同じである。奇数スリーブ２１の最小内径が偶数スリーブ２２の最大外径よりも大きい。奇数スリーブ２１と偶数スリーブ２２との連接箇所の外周面に凹んだ開角が９０〜１３５度程度の第２切り溝２４が設けられ、第２切り溝２４の反対面に第２折り目部２４１が設けられ、これにより、図５に示すように、奇数スリーブ２１と偶数スリーブ２２とを互いに引込むことができる。
【００１３】
奇数スリーブ２１の軸方向への長さＳの半分の箇所での内周面に、凹んだ開角が９０〜１３５度程度の第３切り溝２１１が設けられ、第３切り溝２１１の反対面に第３折り目部２１２が設けられ、これにより、図６に示すように、奇数スリーブ２１自体を引込むことができる。
【００１４】
偶数スリーブ２２の軸方向への長さＲの半分の箇所での内周面に、凹んだ開角が９０〜１３５度程度の第４切り溝２２１が設けられ、第４切り溝２２１の反対面に第４折り目部２２２が設けられ、これにより、図４に示すように、偶数スリーブ２２自体を引込むことができる。
【００１５】
台座３０は、凹んでおり、弾性スリーブ２０の底端から延び、弾性スリーブ２０を支持して密封する。
【００１６】
ヘッド４０は、嵌合体を呈し、図１乃至図３に示すように、その底端の開口４１の内周面に内ねじ４１１が設けられ、剛性握りチューブ１０の軸方向の上端１１にある外ねじ１１１が内ねじ４１１と螺合する。ヘッド４０の上には、弾性スリーブ２０と連通する排水口４２が設けられ、排水口４２には、排水口４２の開閉を制御する押圧スイッチ組４３が枢着される。排水口４２を開けると、弾性スリーブ２０内の水を注ぐことができる。
【００１７】
本考案の伸縮水筒は、図１乃至図３に示すように、剛性握りチューブ１０、弾性スリーブ２０と台座３０が一体に結合され、剛性握りチューブ１０の軸方向の上端１１が開放状態を呈する。剛性握りチューブ１０は、半径方向へ圧縮不能であるため、手で握ることができ、ヘッド４０と螺合することができるため、ヘッド４０に脱着自在である。弾性スリーブ２０の奇数スリーブ２１の最小内径が偶数スリーブ２２の最大外径よりも大きいため、ブラシ（図示せず）を挿入して清掃することができる。特に、奇数スリーブ２１の内周面に、凹んだ開角が９０〜１３５度程度の第３切り溝２１１が設けられ、偶数スリーブ２２の内周面に、凹んだ開角が９０〜１３５度程度の第４切り溝２２１が設けられるため、内壁面の清掃の死角が大幅に減少し、ブラシを挿入してゴミを容易に清掃することができる。
【００１８】
また、図４乃至図７に示すように、第１切り溝２３、第２切り溝２４、第３切り溝２１１及び第４切り溝２２１の凹んだ開角が９０〜１３５度程度であるため、弾性スリーブ２０の半径方向への拡張に必要な弾力が充分であり、これにより、奇数スリーブ２１と偶数スリーブ２２との軸方向への引込みが容易となり、すなわち、弾性スリーブ２０を引っ込むことにより体積を縮小することができる。図４に示すように、例えば台座３０に設けられる摘みラグ３１を握って軸方向に押上げると、第４切り溝２２１により、偶数スリーブ２２の直径が適当に拡張して、偶数スリーブ２２の上半段は、第４折り目部２２２を折り目として反転して、偶数スリーブ２２の下半段の外周面に寄る。
【００１９】
また、図５に示すように、軸方向に沿って偶数スリーブ２２をもっと進めると、第２切り溝２４により、奇数スリーブ２１の下半段の直径が適当に拡張して、引っ込まれる偶数スリーブ２２は、第２折り目部を折り目として反転して、奇数スリーブ２１の下半段に進入する。
【００２０】
また、図６に示すように、折畳まれた偶数スリーブ２２を軸方向に沿ってもっと進めると、奇数スリーブ２１の第３切り溝２１１により、奇数スリーブ２１の直径が適当に拡張して、奇数スリーブ２１の下半段は、第３折り目部２１２を折り目として反転して、奇数スリーブ２１の上半段の外周面に寄る。
【００２１】
最後に、折畳まれた奇数スリーブ２１を軸方向に沿ってもっと進めると、第１切り溝２３により、奇数スリーブ２１の直径が適当に拡張して、引っ込まれた奇数スリーブ２１及び偶数スリーブ２２は、第１折り目部２３１を折り目として反転して、図９に示すように、剛性握りチューブ１０の内部に引っ込まれる。
【００２２】
これにより、一つの手で剛性握りチューブ１０を握って、残りの手で台座３０に設けられる摘みラグ３１を摘んで引き出すと、偶数スリーブ２２と奇数スリーブ２１とを引き出して水を収容することができる。なお、本考案の伸縮水筒を利用したくない場合には、図８に示すように、偶数スリーブ２２と奇数スリーブ２１とを引っ込むことができ、そうすると、体積を減少でき、収納および携帯が便利となる。
【産業上の利用可能性】
【００２３】
本考案は、水筒に適用することができる。
【符号の説明】
【００２４】
１０：剛性握りチューブ
１１：上端
１２：底端
２０：弾性スリーブ
２１：奇数スリーブ
２２：偶数スリーブ
２３：第１切り溝
２４：第２切り溝
３０：台座
３１：摘みラグ
４０：ヘッド
４１：底端開口
４２：排水口
４３：押圧スイッチ組
１１１：外ねじ
１２１：固定用環状縁
２１１：第３切り溝
２１２：第３折り目部
２２１：第４切り溝
２２２：第４折り目部
２３１：第１折り目部
２４１：第２折り目部
４１１：内ねじ
【図１】
0003167925.tif 000003
【図２】
0003167925.tif 000004
【図３】
0003167925.tif 000005
【図４】
0003167925.tif 000006
【図５】
0003167925.tif 000007
【図６】
0003167925.tif 000008
【図７】
0003167925.tif 000009
【図８】
0003167925.tif 000010
【図９】
0003167925.tif 000011